(57)【要約】    【課題】  共鳴音と非共鳴音とを任意に選択して発生させることが可能となる共鳴音発生装置を提供する。    【解決手段】  ダンパ２２は、コイルバネ２３によって弦２１側に付勢され、通常は弦２１に接触して、弦２１の振動を抑制する。ダンパ駆動部１５は、たとえばソレノイドによって構成され、ダンパ制御インターフェースを介してソレノイド１５に給電されると、ソレノイド１５は、ダンパ２２に、コイルバネ２３の付勢力と反対方向の力を加え、弦２１に対するダンパ２２の接触を解除する。ソレノイド１５への給電は、対応する演奏信号が入力されたとき、または、演奏者がペダル操作子を操作したときのいずれかが成立したときに、なされる。【選択図】    図３
2005274728.tif 000002
【特許請求の範囲】
【請求項１】
電子音を発生する発生手段と、
該発生手段から発生された電子音に従って振動する振動手段と、
該振動手段の振動を抑制する振動抑制手段と、
該振動抑制手段による振動抑制を制御する制御手段と
を有することを特徴とする共鳴音発生装置。
【請求項２】
前記制御手段は、前記振動抑制手段による振動抑制の可否および程度のうち、少なくとも一方を制御することを特徴とする請求項１に記載の共鳴音発生装置。
【発明の詳細な説明】
【技術分野】
【０００１】
本発明は、電子音を発生させ、該発生させた電子音に共鳴する共鳴音を発生させる共鳴音発生装置に関する。
【背景技術】
【０００２】
共鳴音を発生させる共鳴音発生装置として、オンドマルトノ（Ondes Martenot）という楽器が知られている。オンドマルトノは、本体内に設けられた発信器から発生させた音波をディフューザで共鳴させることにより、共鳴音を発生させるようにしている。
【０００３】
ディフューザには、パルム（Palme）やメタリック（Metallique）と呼ばれるものがある。パルムは、１２平均率に調弦された２４本（表と裏に１２本ずつ）の弦を備え、この弦を発信器からの音波で振動させることにより、柔らかな残響を発生させる。メタリックは、銅鑼を吊し、この銅鑼を発信器からの音波で振動させることにより、金属的な残響を発生させる。
【０００４】
また、オンドマルトノの本体には、鍵盤（の絵）と、鍵盤手前に指輪の通った弦が設けられている。指輪に指を通し、出したい音高に対応する鍵の位置に指輪を動かすと、その音高の音（共鳴音）が、ディフューザから発生する。
【発明の開示】
【発明が解決しようとする課題】
【０００５】
しかし、上記従来の共鳴音発生装置、すなわちオンドマルトノは、常に音波に共鳴した音を発生させるものであるため、共鳴しない音を発生させようとしても、発生させることができなかった。
【０００６】
本発明は、この点に着目してなされたものであり、共鳴音と非共鳴音とを任意に選択して発生させることが可能となる共鳴音発生装置を提供することを目的とする。
【課題を解決するための手段】
【０００７】
上記目的を達成するため、請求項１に記載の共鳴音発生装置は、電子音を発生する発生手段と、該発生手段から発生された電子音に従って振動する振動手段と、該振動手段の振動を抑制する振動抑制手段と、該振動抑制手段による振動抑制を制御する制御手段とを有することを特徴とする。
【０００８】
好ましくは、前記制御手段は、前記振動抑制手段による振動抑制の可否および程度のうち、少なくとも一方を制御することを特徴とする。
【発明の効果】
【０００９】
請求項１に記載の発明によれば、電子音が発生され、該電子音に従って振動された振動手段の振動を抑制する振動抑制手段の振動抑制が制御されるので、共鳴音と非共鳴音とを任意に選択して発生させることが可能となる。
【発明を実施するための最良の形態】
【００１０】
以下、本発明の実施の形態を図面に基づいて詳細に説明する。
【００１１】
図１は、本発明の一実施の形態に係る共鳴音発生装置の概略構成を示すブロック図である。
【００１２】
同図に示すように、本実施の形態の共鳴音発生装置は、鍵盤操作子１と、ペダル操作子２と、各種情報を入力するための複数のスイッチを含む設定操作子３と、鍵盤操作子１、ペダル操作子２および設定操作子３に含まれる各操作子の操作状態を検出する操作子インターフェース４と、装置全体の制御を司るＣＰＵ５と、該ＣＰＵ５が実行する制御プログラムや各種テーブルデータ等を記憶するＲＯＭ６と、楽曲データ、各種入力情報および演算結果等を一時的に記憶するＲＡＭ７と、タイマ割込み処理における割込み時間や各種時間を計時するタイマ８と、各種情報等を表示する、たとえば液晶ディスプレイ（ＬＣＤ）および発光ダイオード（ＬＥＤ）等を備えた表示装置９と、前記制御プログラムを含む各種アプリケーションプログラムや各種楽曲データ、各種データ等を記憶する外部記憶装置１０と、ダンパ駆動部１５を制御するためのダンパ制御インターフェース１１と、上記記憶された楽曲データ等を楽音信号に変換する音源回路１２と、該音源回路１２からの楽音信号に各種効果を付与するための効果回路１３と、該効果回路１３からの楽音信号を音響に変換する、たとえば、ＤＡＣ（Digital-to-Analog Converter）やアンプ、スピーカ等のサウンドシステム１４とにより構成されている。
【００１３】
上記構成要素４〜１３は、バス１６を介して相互に接続され、ＣＰＵ５にはタイマ８が接続され、ダンパ制御インターフェース１１にはダンパ駆動部１５が接続され、音源回路１２には効果回路１３が接続され、効果回路１３にはサウンドシステム１４が接続されている。
【００１４】
外部記憶装置１０としては、たとえば、フレキシブルディスクドライブ（ＦＤＤ）、ハードディスクドライブ（ＨＤＤ）、ＣＤ−ＲＯＭドライブおよび光磁気ディスク（ＭＯ）ドライブ等を挙げることができる。そして、外部記憶装置１０には、前述のように、ＣＰＵ５が実行する制御プログラムも記憶でき、ＲＯＭ６に制御プログラムが記憶されていない場合には、この外部記憶装置１０に制御プログラムを記憶させておき、それをＲＡＭ７に読み込むことにより、ＲＯＭ６に制御プログラムを記憶している場合と同様の動作をＣＰＵ５にさせることができる。このようにすると、制御プログラムの追加やバージョンアップ等が容易に行える。
【００１５】
図２は、本実施の形態の共鳴音発生装置の外観を示す斜視図である。
【００１６】
同図に示すように、本実施の形態の共鳴音発生装置は、電子ピアノ型の共鳴音発生装置であり、実ピアノにおいて打弦装置が設けられている位置には、前記サウンドシステム１４の一部である、２台のスピーカ１４ａと、該スピーカ１４ａから発生する楽音に共鳴して拡がりのある楽音（共鳴音）を生成するための、複数本の弦２１と、該弦２１の各振動を弦２１毎に停止させるためのダンパ２２とが設けられている。
【００１７】
弦２１の数は、図示例では、６本となっているが、これは、図の描き易さを考慮したために過ぎず、実際には、１２本張られている。つまり、１２本の弦は、１２平均率に調弦され、各弦は、それぞれ１２音階の各音階の音に共鳴する。もちろん、弦の数は、音階毎に１本に限らず、複数音階毎に１本であってもよいし、１音階毎に複数本であってもよい。１音階毎に複数本の弦を設けるようにすれば、弦上に連成振動による「うなり」が発生し、より自然な持続音を発生させることができる。
【００１８】
図３は、図２のＡ−Ａ線に沿う縦断面図である。
【００１９】
図３に示すように、ダンパ２２は、コイルバネ２３によって弦２１側に付勢され、通常は弦２１に接触して、弦２１の振動を抑制する。ダンパ駆動部１５は、たとえばソレノイドによって構成され、前記ダンパ制御インターフェース１１を介してソレノイド１５に給電されると、ソレノイド１５は、ダンパ２２に、コイルバネ２３の付勢力と反対方向の力を加え、弦２１に対するダンパ２２の接触を解除する。なお、どのような条件が満たされたときにソレノイド１５に給電するかは、図４を用いて後述する。
【００２０】
以上のように構成された共鳴音発生装置が実行する制御処理を、図４を参照して詳細に説明する。
【００２１】
図４は、本実施の形態の共鳴音発生装置、特にＣＰＵ５が実行するダンパ制御処理の手順を示すフローチャートである。
【００２２】
本ダンパ制御処理では、（１）対応する演奏信号が入力されたとき、または（２）演奏者がペダル操作子２を操作したときのいずれかが成立したときに、ダンパ制御インターフェース１１からダンパ駆動部（ソレノイド）１５に給電して、弦２１に対するダンパ２２の接触を解除する（ステップＳ３）。
【００２３】
上記（１）の「対応する演奏信号」とは、具体的には、鍵盤操作子１を用いてリアルタイム演奏している場合に、演奏者が、ある特定の鍵（ダンパ駆動を指示するように割り当てられた鍵）やある特定の設定スイッチ（ダンパ駆動を指示するように割り当てられたスイッチ）を操作することによって発生した演奏信号や、楽曲データに基づいて自動演奏している場合に、その楽曲データ中の、ダンパ駆動を指示するように割り当てられたデータを再生することによって発生した演奏信号などである。
【００２４】
上記（２）の「ペダル操作子２」とは、前記図２に描かれた３つのペダル操作子２であるが、３つのペダル操作子２のうち、特定の一部（たとえば、真ん中の１つ）が操作されたときのみに、ダンパ駆動制御を行うようにしてもよいし、いかなる１つが操作されたときでも、ダンパ駆動制御を行うようにしてもよい。
【００２５】
このように、本実施の形態では、所定の条件が成立したときに、弦２１に対するダンパ２２の接触を解除するようにしたので、共鳴音と非共鳴音とを任意に選択して発生させることができる。
【００２６】
なお、本実施の形態では、ダンパ駆動制御は、弦２１に対するダンパ２２の接触を解除する制御のみを行うようにしたが、これに限らず、接触の程度を段階的に切り替え、接触の程度が最も低い段階を「解除」とするような制御、すなわち振動抑制の程度の制御を行うようにしてもよい。このような制御は、たとえば、ソレノイド１５に給電する電力量を変化させることによって、簡単に実現できる。
【００２７】
また、本実施の形態では、スピーカ１４ａから発生させた楽音（電子音）に従って振動する振動体として、弦を採用したが、これに限らず、楽音に従って振動するものであって、共鳴音を発生させるものであれば、どのようなものを採用してもよい。
【００２８】
さらに、本実施の形態では、発音中の共鳴音を停止させる制御を能動的に行うようにしていない（ただし、共鳴音の発音中に、前記所定の条件が成立しなくなると、ソレノイド１５に対する給電は停止し、これによってダンパ２２が弦２１に接触するので、その共鳴音は自動的に停止する）が、これに限らず、共鳴音の発音中に、対応する演奏信号（たとえば、キーオフ信号）が入力されると、積極的に前記ソレノイド１５に対する給電を停止し、発音中の共鳴音を停止させるようにしてもよい。
【００２９】
図５は、本発明の他の実施の形態に係る共鳴音発生装置の構成の一例を示す図であり、同図中、図２と同様の要素には、同一符号を付し、その説明を省略する。
【００３０】
図５に示すように、本実施の形態の共鳴音発生装置は、上記実施の形態の共鳴音発生装置に対して、楽音の発音部のみで構成した点が異なっている。すなわち、上記実施の形態の共鳴音発生装置では、演奏信号（たとえば、ＭＩＤＩ（Musical Instrument Digital Interface）信号）および楽音信号（オーディオ信号）を当該装置内で発生させるようにしたのに対して、本実施の形態の共鳴音発生装置では、演奏信号は、外部制御装置（たとえば、パーソナルコンピュータ（ＰＣ））２００で生成したものを入力し、楽音信号は、この演奏信号に基づいて外部音源２０１で生成したものを入力するようにしている。そして、本実施の形態の共鳴音発生装置では、入力されたオーディオ信号に基づいて楽音を発生させ、上記実施の形態の共鳴音発生装置と同様の条件で、ダンパ２２を制御することにより、共鳴音と非共鳴音とを任意に選択して発生させるようにしている。ただし、上記条件中、対応する演奏信号とは、入力された演奏信号のうちの対応するものであり、演奏者がペダル操作子を操作したときとは、演奏者がペダル操作をしたという情報を含み、ペダル操作時に発生される演奏信号が入力されたときである。
【００３１】
なお、上述した各実施の形態の機能を実現するソフトウェアのプログラムコードを記録した記憶媒体を、システムまたは装置に供給し、そのシステムまたは装置のコンピュータ（またはＣＰＵ５やＭＰＵ）が記憶媒体に格納されたプログラムコードを読出し実行することによっても、本発明の目的が達成されることは言うまでもない。
【００３２】
この場合、記憶媒体から読出されたプログラムコード自体が本発明の新規な機能を実現することになり、そのプログラムコードを記憶した記憶媒体は本発明を構成することになる。
【００３３】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【００３４】
また、コンピュータが読出したプログラムコードを実行することにより、上述した各実施の形態の機能が実現されるだけでなく、そのプログラムコードの指示に基づき、コンピュータ上で稼働しているＯＳなどが実際の処理の一部または全部を行い、その処理によって上述した各実施の形態の機能が実現される場合も含まれることは言うまでもない。
【００３５】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ５などが実際の処理の一部または全部を行い、その処理によって上述した各実施の形態の機能が実現される場合も含まれることは言うまでもない。
【図面の簡単な説明】
【００３６】
【図１】本発明の一実施の形態に係る共鳴音発生装置の概略構成を示すブロック図である。
【図２】図１の共鳴音発生装置の外観を示す斜視図である。
【図３】図２のＡ−Ａ線に沿う縦断面図である。
【図４】図１の共鳴音発生装置、特にＣＰＵが実行するダンパ制御処理の手順を示すフローチャートである。
【図５】本発明の他の実施の形態に係る共鳴音発生装置の構成の一例を示す図である。
【符号の説明】
【００３７】
５…ＣＰＵ（発生手段、制御手段），１４…サウンドシステム（発生手段），１４ａ…スピーカ（発生手段），１５…ダンパ駆動部（制御手段），２１…弦（振動手段），２２…ダンパ（振動抑制手段）
【図１】
2005274728.tif 000003
【図２】
2005274728.tif 000004
【図３】
2005274728.tif 000005
【図４】
2005274728.tif 000006
【図５】
2005274728.tif 000007